(57)【要約】      （修正有）【課題】綴じられる写真や絵画を何度でも自由に追加及び削除することができ、さらに高級感のある外観を備えたアルバムを提供する。【解決手段】表表紙１と裏表紙２の間にシート状体を連綴してなるアルバムは、表表紙部材１０と、裏表紙部材２０と、断面コ字状の背表紙部材３０と、表表紙部材１０及び裏表紙部材２０が開閉自在となるように背表紙部材３０に連結する表皮材５０と、シート状体を挟持する一対の挟持部材４と、挟持部材４及びシート状体の厚み方向に貫通するように挿通されてシート状体を連綴する連綴部材５と、挟持部材４に嵌着されることにより、連綴部材５及び挟持部材４が抜け落ちることを防止する抜け止め部材６とを備え、挟持部材４と、連綴部材５と、抜け止め部材６とは、背表紙部材３０の内部に形成される凹溝３０ａ内に配設され、挟持部材４及び連綴部材５は、背表紙部材３０に対して着脱可能に配設されている。【選択図】図２
0003172198.tif 000002
【実用新案登録請求の範囲】
【請求項１】
表表紙と裏表紙の間にシート状体を連綴してなるアルバムであって、
前記表表紙を構成する表表紙部材と、
前記裏表紙を構成する裏表紙部材と、
該裏表紙部材及び前記表表紙部材の間に配設される断面コ字状の背表紙部材と、
前記表表紙部材及び前記裏表紙部材が開閉自在となるように前記背表紙部材に連結する表皮材と、
前記シート状体を挟持する一対の挟持部材と、
該挟持部材及び前記シート状体の厚み方向に貫通するように挿通されて前記シート状体を連綴する連綴部材と、
前記挟持部材に嵌着されることにより、前記連綴部材及び前記挟持部材が前記表表紙部材及び前記裏表紙部材の間から抜け落ちることを防止する抜け止め部材と、を備え、
前記挟持部材と、前記連綴部材と、前記抜け止め部材とは、前記背表紙部材の内部に形成される凹溝内に配設され、
少なくとも前記挟持部材及び前記連綴部材は、前記背表紙部材に対して着脱可能に配設されていることを特徴とするアルバム。
【請求項２】
前記挟持部材は、前記背表紙部材の長手方向に沿って配設される長尺部材からなり、
前記抜け止め部材は、前記挟持部材の長手方向の両端で前記挟持部材に当接するようにして配設されることを特徴とする請求項１に記載のアルバム。
【請求項３】
前記表表紙部材と前記裏表紙部材との間であって前記背表紙部材の長手方向の両端には、前記挟持部材及び前記抜け止め部材を保護する一対の保護板が備えられ、
前記抜け止め部材は、前記挟持部材に当接する本体部と、該本体部から突出する突出片を有し、
前記保護板には、前記突出片が挿入される挿入穴が形成されていることを特徴とする請求項２に記載のアルバム。
【請求項４】
前記突出片は、前記本体部から突出する長さが変更可能に配設されていることを特徴とする請求項３に記載のアルバム。
【請求項５】
前記保護板には、前記突出片が前記本体部から突出する長さを変更するための調整孔が備えられていることを特徴とする請求項４に記載のアルバム。
【請求項６】
前記表表紙部材と前記裏表紙部材との間であって前記背表紙部材の長手方向の両端には、前記挟持部材を保護する一対の保護板が備えられ、
前記挟持部材は、前記長手方向に沿って前記背表紙部材の内部を移動可能に保持されるように、前記背表紙部材の前記凹溝内に配設された抜け止め部材と係合する略鈎状の切欠き部を有し、
前記保護板及び前記挟持部材との間には、前記挟持部材が前記背表紙部材の内部で移動することを抑制するスペーサ部材が配設されることを特徴とする請求項１に記載のアルバム。
【考案の詳細な説明】
【技術分野】
【０００１】
本考案は、アルバムに係り、特に、綴じられる写真や絵画を自由に追加及び削除することができると共に、高級感のある外観を備えたアルバムに関する。
【背景技術】
【０００２】
従来、写真や絵画等の整理及び保存のため、アルバム、バインダー式ファイル、クリアーファイル、箱等が用いられている。そして、これらアルバムやファイル等は様々な種類があり、目的に応じた外観や形式のものが適宜選択して用いられる。
【０００３】
例えば、特許文献１には、写真の整理を行うため、透明シートに写真を挟み込む形式の簡易写真帳を貼着する構成の写真帳保持具体が開示されている。この写真帳保持具体は、写真帳貼着板等を断面コ字状に形成された合成樹脂製の綴じ具（特許文献１には「縦長扁平状支持板体」と記載されている）に挟持させることにより、写真を綴じることができる。
しかし、このような貼着により写真を保持する形式のものは、粘着剤が経年劣化により変質して溶け出したり、変色してしまったりする虞がある。さらに、特許文献１に開示された写真帳保持具体は容易、且つ安価に製造できるものの、写真自体が透明シートに覆われた状態となるため、外観上の高級感や重厚感が十分でなく、特に、贈答用や記念品用としては適していない。
【０００４】
したがって、贈答用や記念品用としてのアルバム（写真集）を作成するためには、専門業者に依頼して製本することが一般的であり、その結果、アルバム作成において多額の費用がかかるという問題点があった。また、専門業者にアルバム制作を依頼するため、写真のデザインは専門業者によって選択されることが多く、写真のデザインにおける自由度が高くないという不都合があった。
【０００５】
上記問題点に対し、近年、個人で写真集を作成するための製本キットが提案されている。例えば、特許文献２で開示された製本キットは、厚紙等で形成される表紙部材の間に、写真等が印刷された本体用紙を挟み込み、本体用紙に開けられた孔にリベットを挿通させて背表紙の近傍で本体用紙を連綴する構成を備えている。
このような製本キットを利用することにより、綴じ込まれた写真等は、透明シートに覆われることなく、外観上の高級感を備えたアルバムを、個人で安価に作成することができる。
【先行技術文献】
【特許文献】
【０００６】
【特許文献１】特開平９−３１５０３２号公報
【特許文献２】特開２００３−１７０６７５号公報
【考案の概要】
【考案が解決しようとする課題】
【０００７】
特許文献２に開示されているような製本キットによれば、パソコンを用いて印刷した本体用紙を容易に硬表紙に綴じることができ、さらに、表紙部材と本体用紙との間には見返し部材が配設されるため、外観上の高級感を備えたアルバムが安価で作成できる。また、本体用紙には、パソコンを用いて自由に加工を施したデザインの写真を印刷可能であるため、デザインの自由度も向上する。
【０００８】
しかしながら、特許文献２に記載の製本キットでは、見返し部材を両面テープ等の粘着部材を用いて貼着することにより、本体用紙を連綴するリベットが抜けることがないように係止されている。したがって、一度製本作業を行うと、本体用紙を追加したり、削除したりすることができず、綴じ込まれる写真の入れ替えを行うことができないという不都合があった。
【０００９】
また、見返し部材の貼着作業を行う場合、作成者の技術が未熟であると、良好な外観のアルバムが得られず、さらに、貼着部分がはがれてしまい、本体用紙が抜け落ちる虞があるという不都合がある。さらにまた、上述のように、貼着された部分は経年劣化しやすく、長期間の使用に耐えられない可能性があるという問題点があった。
【００１０】
本考案の目的は、綴じられる写真や絵画を何度でも自由に追加及び削除することができ、さらにくるみ製本と類似した態様で高級感のある外観を備えたアルバムを提供することにある。また、本考案の他の目的は、貼着作業を行うことなく写真や絵画等を綴じ込むことにより、長期間保存可能なアルバムを提供することにある。
【課題を解決するための手段】
【００１１】
上記課題は、本考案のアルバムによれば、表表紙と裏表紙の間にシート状体を連綴してなるアルバムであって、前記表表紙を構成する表表紙部材と、前記裏表紙を構成する裏表紙部材と、該裏表紙部材及び前記表表紙部材の間に配設される断面コ字状の背表紙部材と、前記表表紙部材及び前記裏表紙部材が開閉自在となるように前記背表紙部材に連結する表皮材と、前記シート状体を挟持する一対の挟持部材と、該挟持部材及び前記シート状体の厚み方向に貫通するように挿通されて前記シート状体を連綴する連綴部材と、前記挟持部材に嵌着されることにより、前記連綴部材及び前記挟持部材が前記表表紙部材及び前記裏表紙部材の間から抜け落ちることを防止する抜け止め部材と、を備え、前記挟持部材と、前記連綴部材と、前記抜け止め部材とは、前記背表紙部材の内部に形成される凹溝内に配設され、少なくとも前記挟持部材及び前記連綴部材は、前記背表紙部材に対して着脱可能に配設されていること、により解決される。
【００１２】
このように、写真等のシート状体を綴じ込みできるアルバムにおいて、シート状体を挟持する挟持部材と、この挟持部材及びシート状体を厚み方向に貫通するように挿通される連綴部材を、凹溝が形成された（断面コ字状に形成された）背表紙部材の内部に固定することにより、シート状体を連綴させることができる。そして、挟持部材と当接して嵌着されることにより、連綴部材及び挟持部材を背表紙部材の内部に保持させる抜け止め部材が備えられているため、連綴された状態にあるシート状体を容易にアルバムに保持させることができる。したがって、連綴部材や挟持部材を貼着する必要がないため、容易に製本作業を行うことができる。
そして、上記のように、本考案のアルバムは、抜け止め部材を挟持部材に対して嵌着させるだけでよいので、貼着作業を必要としない。したがって、製本作業が容易となるだけでなく、抜け止め部材を取り外すことにより、挟持部材と連綴部材が背表紙部材に対して着脱可能に配設されているため、一度シート状体を綴じ込んだ後であっても、アルバムに綴じ込まれるシート状体を再度入れ替えることができる。
また、シート状体を透明シート等に挟持させることなく、シート状体を露出した状態で綴じ込み可能であるため、高級感のある外観を備えたアルバムとすることができる。すなわち、上記構成のアルバムを用いて製本作業を行う際は、プリンタ等の機器で写真等を印刷したシート状体（紙等）に穴をあけるだけで、その他に特別な加工を施す必要がない。その結果、アルバムが本（くるみ製本された本）と非常に類似した外観とすることができ、高級感を備えたアルバムを作成することができる。
さらにまた、シート状体を挟む位置に配設される表表紙部材及び裏表紙部材は、背表紙部材に対して表皮材を介して連結されているため、表表紙部材と裏表紙部材と背表紙部材は、表皮材で覆われた態様となる。したがって、くるみ製本と類似して、高級感のある外観とすることができると共に、表表紙部材及び裏表紙部材は背表紙部材に対して開閉自在に取り付けられる。そして、背表紙部材に設けられた凹溝内に挟持部材、連綴部材、抜け止め部材を配設することにより、連綴部材が目視されず、シート状体が本のように連綴されるため、高級感のある外観を備えたアルバムとすることができる。
さらに、連綴されるシート状体は、穴を開けることができる材料であれば様々な材料を使用可能である。したがって、手触りが重要となる材料（例えば、布等）を透明シート等で覆うのではなく、露出した状態で連綴可能となるため、布のサンプルを綴じる用途においても好適に用いられる。
【００１３】
また、前記挟持部材は、前記背表紙部材の長手方向に沿って配設される長尺部材からなり、前記抜け止め部材は、前記挟持部材の長手方向の両端で前記挟持部材に当接するようにして配設されると好適である。
このように、挟持部材をアルバムの背表紙部材の長手方向に沿って配設される長尺部材によって形成することにより、例えば、挟持部材が部分的にのみ備えられた構成と比較して、挟持部材は、シート状体を強固に保持することができる。したがって、長期保存に耐えうるアルバムとすることができる。
また、挟持部材がアルバムの表表紙及び裏表紙の間から抜け落ちることを防止する抜け止め部材を挟持部材の長手方向の両端部に配設することにより、抜け止め部材の取り付けを容易に行うことができる。例えば、長尺部材である挟持部材の中央付近で抜け止め部材を配設する場合、シート状体が挟持されているために抜け止め部材を取り付けることが難しいが、挟持部材の両端に抜け止め部材を取り付ける構成とすることにより、容易に抜け止め部材を取り付けることが可能となる。
【００１４】
また、前記表表紙部材と前記裏表紙部材との間であって前記背表紙部材の長手方向の両端には、前記挟持部材及び前記抜け止め部材を保護する一対の保護板が備えられ、前記抜け止め部材は、前記挟持部材に当接する本体部と、該本体部から突出する突出片を有し、前記保護板には、前記突出片が挿入される挿入穴が形成されていると好ましい。
このように、挟持部材を保護する一対の保護板を備えることにより、挟持部材及び抜け止め部材、さらには挟持部材に挿通される連綴部材を外部の干渉から保護することができる。そして、抜け止め部材は、本体部と本体部から突出する突出片を備えており、この突出片を保護板に挿入可能とすることにより、抜け止め部材を背表紙部材の内部において強固に固定することができる。
したがって、抜け止め部材が背表紙部材の内側に強固に保持されるため、抜け止め部材が脱離しにくくなり、アルバムを長期保存する場合に特に好適である。
【００１５】
さらに、前記突出片は、前記本体部から突出する長さが変更可能に配設されていると好適である。
このように、抜け止め部材に備えられた突出片が、本体部から突出する長さを変更可能とすることにより、保護板に対し、容易に抜け止め部材を係合させることができる。すなわち、抜け止め部材に備えられた突出片を保護板の挿入穴に挿入する際、まず、突出片が保護板側に突出していない状態で抜け止め部材を所定位置に配設し、その後、突出片を保護板側に向かって突出させることにより、容易に抜け止め部材を保護板に固定することができる。
また、突出片が本体部に対して常に一定の長さで固定された構成とすると、突出片に対して力が加わった際に突出片が損傷する虞がある。一方、上記のように、突出片を可動式とすることにより、突出片に対して力が加わった場合であっても突出片がその長さを変更することにより、過大な荷重がくわわることを防止する。したがって、抜け止め部材の損傷を抑制することができるという効果も奏する。
【００１６】
また、前記保護板には、前記突出片が前記本体部から突出する長さを変更するための調整孔が備えられていると好ましい。
上述のように、抜け止め部材の突出片は、その突出量（長さ）が変更可能に形成されている。そして、保護板に抜け止め部材の突出片が挿入された後、突出片の突出量（長さ）を変更（調整）するために、保護板に調整孔が備えられた構成とするとよい。
保護板に突出片を挿入して抜け止め部材を固定した後であっても、調整孔を用いて突出片の長さを変更して短くすることにより、抜け止め部材を容易に取り外すことが可能となる。したがって、一度シート状体を連綴して装丁作業を行った場合であっても、アルバムに挟持されるシート状体を追加、削除する作業を容易に行うことが可能となる。
【００１７】
さらに、前記表表紙部材と前記裏表紙部材との間であって前記背表紙部材の長手方向の両端には、前記挟持部材を保護する一対の保護板が備えられ、前記挟持部材は、前記長手方向に沿って前記背表紙部材の内部を移動可能に保持されるように、前記背表紙部材の前記凹溝内に配設された抜け止め部材と係合する略鈎状の切欠き部を有し、前記保護板及び前記挟持部材との間には、前記挟持部材が前記背表紙部材の内部で移動することを抑制するスペーサ部材が配設されると好適である。
背表紙部材の長手方向が大きい場合、上述した構成（抜け止め部材を背表紙部材の長手方向の両端部に配設した構成）では、抜け止め部材を端部（すなわち、二箇所）に配設する構成であるため、挟持部材の中央付近が十分に保持されず、強度が低下する虞がある。一方、挟持部材に略鈎状の切欠き部を形成し、この切り欠き部に係合する抜け止め部材を背表紙部材の適当な位置に備えることにより、抜け止め部材の中央付近においても挟持部材を保持することができる。したがって、このように、挟持部材において、抜け止め部材と係合する切り欠き部を備えることにより、挟持部材が抜け止め部材に係止される箇所を３箇所以上とすることができる。その結果、背表紙部材（挟持部材）が長く形成されたデザインのアルバムであっても、挟持部材を強固に保持することができる。
したがって、アルバムのデザインに依存せず、シート状体を強固に保持することができ、長期保存に適したアルバムとすることができる。
【考案の効果】
【００１８】
本考案のアルバムによれば、挟持部材及び連綴部材を何度でも脱着可能であるため、アルバムに綴じ込まれるシート状体（写真や絵画）を自由に追加及び削除することができる。したがって、アルバム作成の自由度をさらに向上させることができる。
また、表表紙部材と裏表紙部材と背表紙部材が、表皮材によって連結されているため、くるみ製本に類似した外観を備えたアルバムを作成可能となる。したがって、外観上、高級感のあるアルバムを提供することができる。
さらに、アルバムに綴じ込まれるシート状体は、透明シートに覆われることなく、露出した状態で綴じ込まれるため、シート状体を本のように装丁することができ、より高級感のあるアルバムを作成可能となる。
さらにまた、アルバムにシート状体を綴じ込む作業において、粘着剤による貼着作業を行う必要がないため、アルバム作成者の技術の熟練度を問わず、長期保存に耐えうるアルバムを容易に作成することが可能となる。
【図面の簡単な説明】
【００１９】
【図１】本考案の実施形態に係るアルバムの概略斜視図である。
【図２】本考案の実施形態に係るアルバムの展開図である。
【図３】本考案の実施形態に係る挟持部材の平面図である。
【図４】本考案の実施形態に係る抜け止め部材の側面図である。
【図５】本考案の実施形態に係る抜け止め部材の構成を説明する説明図である。
【図６】本考案の実施形態に係るアルバムの背表紙部材の内部を説明する説明図である。
【図７】本考案の他の実施形態に係る挟持部材の平面図である。
【図８】本考案の他の実施形態に係るアルバムの背表紙部材の内部を説明する説明図である。
【図９】図８のＡ−Ａ線に係る断面図である。
【考案を実施するための形態】
【００２０】
以下に、本考案の製品ホルダについて説明する。なお、以下に説明する部材やその構成等は、本考案を限定するものではなく、本考案の趣旨に沿って各種改変することができることは勿論である。
【００２１】
図１〜図６に基づき、本考案の実施形態のアルバム１００の構成について説明する。図１〜図６は本考案の実施形態に係り、図１はアルバムの概略斜視図、図２はアルバムの展開図、図３は挟持部材の平面図、図４はアルバムの抜け止め部材の取り付け方法を説明する説明図、図５は抜け止め部材の構成を説明する説明図、図６はアルバムの背表紙部材の内部を説明する説明図である。
また、図７〜図９に基づき、本考案の他の実施形態のアルバム１００’について説明する。図７〜図９は本考案の他の実施形態に係り、図７は挟持部材の平面図、図８はアルバムの背表紙部材の内部を説明する説明図、図９は図８のＡ−Ａ線に係る断面図である。
【００２２】
＜アルバム１００の構成＞
図１に示すように、本考案の実施形態のアルバム１００は、互いにほぼ同じ形、同じ大きさの表表紙１及び裏表紙２を備えており、表表紙１及び裏表紙２の間に複数のシート状体３が連綴された状態で挟持される。シート状体３としては、写真、絵画、版画等が印刷された紙、色紙等の厚紙の他、布、フィルム等が挙げられる。
表表紙１と裏表紙２は、図１に示すように、背表紙部材３０を介して互いに対向するように配設されており、その間にシート状体３が複数挟持される。また、背表紙部材３０とは、表表紙１及び裏表紙２を連結する断面コ字状の長尺部材を指すものであり、その長さ方向の両端部には、一対の保護板３３が備えられている（図２参照）。なお、背表紙部材３０の内部の構成については、後に詳述する。
【００２３】
アルバム１００は、表表紙１を構成する表表紙部材１０及び裏表紙２を構成する裏表紙部材２０を表皮材５０で覆うようにして構成されており、表表紙部材１０及び裏表紙部材２０は、それぞれ、適度な剛性を有する厚紙等の板材によって形成されている。表皮材５０は、表表紙部材１０、背表紙部材３０、裏表紙部材２０を連続して覆うように配設されており、アルバム１００は、くるみ製本類似の外観を構成している。なお、本実施形態では、表表紙部材１０及び裏表紙部材２０がそれぞれ略矩形状に形成されているが、表表紙部材１０及び裏表紙部材２０の形を変更し、その他の形状としてもよいのは勿論である。
【００２４】
また、表皮材５０の材料としては可撓性材料が用いられ、紙、天然皮、人工皮、樹脂シート等を用いることができる。樹脂シートの材料としては、低密度ポリエチレン（ＬＤＰＥ）や高密度ポリエチレン（ＨＤＰＥ）などのポリエチレン（ＰＥ）、ポリプロピレン（ＰＰ）、ポリエステル（ＰＥＴＰ）、ポリウレタン（ＰＵ）、エチルビニル酢酸エステル（ＥＶＡ）、ポリ塩化ビニル（ＰＶＣ）などが挙げられる。
【００２５】
表表紙部材１０及び裏表紙部材２０を覆うように配設される表皮材５０は、表表紙部材１０から、背表紙部材３０、さらには裏表紙部材２０までを一連で覆うように配設されている。このとき、表表紙部材１０の表面に沿って貼着された表皮材５０は、さらに表表紙部材１０から延出して背表紙部材３０に貼着されている。さらに、断面略コ字状の背表紙部材３０の表面を覆うように貼着された表皮材５０は、背表紙部材３０から延出して裏表紙部材２０の表面に沿って貼着されている。
【００２６】
このように、表表紙部材１０、背表紙部材３０、裏表紙部材２０を一連で覆うように表皮材５０が貼着されることにより、表表紙部材１０及び裏表紙部材２０は、開閉自在に連結されている。
上記構成において、表表紙部材１０と、背表紙部材３０とは、わずかに離間した状態で表皮材５０が架け渡される。その結果、表皮材５０がヒンジの役割を果たし、表表紙部材１０及び裏表紙部材２０は、背表紙部材３０に対して自由に開閉動作することができる。
【００２７】
このように、可撓性の表皮材５０によって板材である表表紙部材１０及び裏表紙部材２０を背表紙部材３０において連結するように構成されているため、アルバム１００は、表表紙１及び裏表紙２を自在に開閉することができる。すなわち、表皮材５０がヒンジの役割を果たしている。したがって、アルバム１００は、くるみ製本に類似した態様となり、高級感のある外観を呈する。
【００２８】
また、背表紙部材３０の長手方向の両端には、保護板３３がそれぞれ設けられている。この保護板３３は、背表紙部材３０の内部（すなわち、一対の保護板３３の間に形成される凹溝３０ａの内部）に配設される挟持部材４及び抜け止め部材６（図２参照）を保持し、さらに外力から保護するために備えられる部材である。したがって、保護板３３は、高強度木材で形成されていると好ましい。
【００２９】
アルバム１００において、複数のシート状体３を連綴するための構成として、図２に示すように、複数の連綴部材５が一対の挟持部材４の間を厚み方向に貫通するように挿通されている。より詳細には、連綴部材５は、一方の挟持部材４から、シート状体３を介して、他方の挟持部材４までを挿通するように配設される。なお、図２は、簡略化のため、シート状体３を省略して示している。
【００３０】
このとき、複数のシート状体３には、それぞれ、所定の箇所（連綴部材５が挿通される箇所）に孔が設けられており、この孔に連綴部材５が通るようにして、一方の挟持部材４から他方の挟持部材４まで連綴部材５が挿通される。
【００３１】
そして、挟持部材４の間にシート状体３を連綴させた状態とした後、挟持部材４を背表紙部材３０に備えられた凹溝３０ａに挿入し、その上から抜け止め部材６を嵌着することによってシート状体３を表表紙１及び裏表紙２の間に挟持させることができる。抜け止め部材６は、アルバム１００の背表紙部材３０の上下方向（長手方向）において両端部に備えられており、背表紙部材３０から挟持部材４がシート状体３を伴って脱離することを防止するために備えられる。
なお、挟持部材４、連綴部材５、抜け止め部材６は、背表紙部材３０の凹溝３０ａ内に配設された時、凹溝３０ａから突出することなく、完全に収まる寸法で形成されている。
【００３２】
以下では、挟持部材４、連綴部材５、及び抜け止め部材６の構成に基づき、本考案のアルバム１００においてシート状体３が連綴される構成について図３〜図６を参照して説明する。
なお、挟持部材４及び抜け止め部材６は、それぞれ略同様の構成のものが二つ備えられているため、それぞれ、一方のみの構成を説明する。
【００３３】
まず、図３を参照して、挟持部材４について説明する。
挟持部材４は、略矩形状の板材からなり、その長手方向の長さは、アルバム１００の背表紙部材３０の長手方向の長さと略同様の長さに形成された長尺部材（長尺の板材）である。
【００３４】
挟持部材４は、背表紙部材３０の延在方向に沿って配設される長尺部材であり、比較的強度の高い木材（例えば、黒檀、紫檀、柿、クリ、ツゲ、樫等の高強度木材）によって形成されている。このように、挟持部材４が高強度木材によって形成されているため、特にアルバム１００を長期保存したい場合に適している。
【００３５】
挟持部材４は、図３に示すように、矩形状の上部４ｃ及び同じく矩形状の下部４ｄを組み合わせた形状である。そして、上部４ｃは下部４ｄよりも長手方向が若干短く形成されており、その結果、段差部４ｂが長手方向の両端に形成される。なお、この上部４ｃ及び下部４ｄは、連続した板材によって形成されている。
【００３６】
段差部４ｂは、その縁辺が略垂直となるように切り欠かれた部分であり、後で詳述する抜け止め部材６が当接する部分である。これにより、挟持部材４が背表紙部材３０から脱落しないように保持される。
【００３７】
そして、この段差部４ｂの縁辺のうち、挟持部材４の長手方向に沿って形成された縁辺の延長線上（すなわち、上部４ｃと、下部４ｄとの境界部分であり、図３において点線で示した部分）において、複数の挿通孔４ａが形成されている。このとき、隣り合う挿通孔４ａの間隔は、４ｃｍ程度とすると好ましい。
【００３８】
挿通孔４ａの直径は、連綴部材５を挿通可能とするため、連綴部材５の端面５ａ（図５参照）の直径よりも若干大きく形成されている。なお、挿通孔４ａは、連綴部材５の端面５ａと嵌合する程度の大きさで形成されているとよい。なお、図５では、説明のため、挿通孔４ａの直径を連綴部材５の端面５ａよりも大きく示している。
【００３９】
連綴部材５は、円柱状の小片であるが、挿通孔４ａに嵌合可能であれば、連綴部材５の形状はこれに限定されず、四角柱状等の形状であってもよい。連綴部材５の高さ（長さ）は、アルバム１００の厚み（詳細には、表表紙１を構成する表表紙部材１０の内側面から裏表紙２を構成する裏表紙部材２０までの内側面までの距離）と略等しくなるように形成される。なお、本実施形態においては、連綴部材５は６個備えられているが、アルバム１００に挟持されるシート状体３の大きさや材質に依存して、６個以外の数としてもよいのは勿論である。このとき、連綴部材５を単数とすると、連綴作業が簡素化されるが、連綴部材５を複数設けることにより、アルバム１００内においてシート状体３を強固に保持させることができる。
【００４０】
そして、複数の連綴部材５を一方の挟持部材４から他方の挟持部材４まで挿通した後、背表紙部材３０の内部（表表紙１と裏表紙２との間に備えられる凹部）に挿入した後、挟持部材４の両端に当接するように抜け止め部材６がそれぞれ配設される。以下、図４を参照して、抜け止め部材６の構成について説明する。
【００４１】
抜け止め部材６は、本体部６ａと、本体部６ａから突出する突出片６ｄを有している。そして、本体部６ａは、アルバム１００を開いた状態とする時に、上方に配設されて突出片６ｄが挿通される貫通孔６ｂｘが備えられた挿通部６ｂと、挿通部６ｂの下方に配設されて挟持部材４同士の間に挟まれるように配設される支柱部６ｃとを備えている。
【００４２】
抜け止め部材６は、背表紙部材３０の延在方向の両端に備えられる部材であり、上記の挟持部材４と同じく、比較的強度の高い木材によって形成されている。このように、抜け止め部材６が高強度木材によって形成されているため、特にアルバム１００を長期保存したい場合に適している。
【００４３】
図４は抜け止め部材６の側面図であるが、抜け止め部材６の本体部６ａは、側面視略矩形状に形成されている。また、抜け止め部材６の本体部６ａを正面から見たとき、挿通部６ｂ及び支柱部６ｃは、いずれも矩形状に形成されている。そして、挿通部６ｂは、支柱部６ｃよりも幅広な矩形状に形成されており、挿通部６ｂと支柱部６ｃとの間には、略水平な面で構成される当接部６ｅを備えている。
この当接部６ｅと、上述の挟持部材４の段差部４ｂが背表紙部材３０内で当接して配設されることにより、挟持部材４が背表紙部材３０内に保持される。
【００４４】
したがって、抜け止め部材６の厚み（図４の状態において、左右方向の幅）は、段差部４ｂを構成する縁辺のうち、挟持部材４の長手方向に沿って形成される縁辺の長さと同様となるように形成されている。このように形成することにより、挟持部材４の端部に抜け止め部材６を配設した際、挟持部材４の下部４ｄの縁端が、後で詳述する保護板３３に当接するため、挟持部材４が強固に保持される。
【００４５】
また、抜け止め部材６の挿通部６ｂと支柱部６ｃとの間に形成される当接部６ｅの幅方向の長さ（図４において奥行き方向の長さであり、抜け止め部材６を正面視の状態としたときの当接部６ｅの左右方向の幅）は、挟持部材４の厚みと略同じとなるように形成されている（図５参照）。このような構成とすることにより、抜け止め部材６をコンパクトに背表紙部材３０に収納することができる。
【００４６】
そして、抜け止め部材６の挿通部６ｂには、突出片６ｄが挿通可能に形成されている。より詳細には、挿通部６ｂの中央部分に貫通孔６ｂｘが形成されており、貫通孔６ｂｘの内部に突出片６ｄが挿通されている。貫通孔６ｂｘは、挿通部６ｂの厚み方向（図４において左右方向）を貫通するように形成されている。そして、貫通孔６ｂｘの内部に挿通される突出片６ｄは、円柱状に形成された小片であり、貫通孔６ｂｘに嵌合する程度の太さで形成されている。なお、図４は説明のため、貫通孔６ｂｘの直径を突出片６ｄの直径よりも大きく示しているが、実際は略同じ大きさである。
【００４７】
突出片６ｄは、貫通孔６ｂｘの一端側から他端側までを摺動可能なように嵌合されており、図４の矢印方向に沿って摺動する。このとき、突出片６ｄは、挿通部６ｂの表面から少なくとも一方の端部が突出する状態となるように、挿通部６ｂの厚みよりも長く形成されている。
【００４８】
次に、上記構成の抜け止め部材６を背表紙部材３０内に取り付けるための構成や取り付ける方法について、図５（ａ）及び（ｂ）、図６を参照して説明する。図５（ａ）及び（ｂ）は、アルバム１００を開いた状態としたときの表表紙１（表表紙部材１０）及び裏表紙２（裏表紙部材２０）の間に形成される凹状の背表紙部材３０の平面図である。なお、簡略化のため、図５はシート状体３を省略して図示している。
図５（ａ）は、抜け止め部材６を背表紙部材３０に固定する前の状態を示す説明図であり、図５（ｂ）は、抜け止め部材６を背表紙部材３０に固定した後の状態を示す説明図である。また、図６は、アルバム１００を閉じた状態としたときの背表紙部材３０を説明する説明図である。
【００４９】
挟持部材４の間に、連綴部材５を用いてシート状体３を連綴した状態とした後、背表紙部材３０に挟持部材４等を挿入する。このとき、背表紙部材３０の内部で連綴部材５が挟持部材４から抜けにくいように、連綴部材５の長さを背表紙部材３０の幅方向の長さと略同様にするとよい。したがって、連綴部材５の端面５ａは、挟持部材４の表面と面一となるように（連続した平面）となるように配設される。
【００５０】
その後、抜け止め部材６を挟持部材４の端部に当接させるようにして嵌着する。このとき、一対の対向する挟持部材４同士の間に、抜け止め部材６の支柱部６ｃが嵌合するようにして配設される。したがって、支柱部６ｃの幅は、背表紙部材３０の幅から、挟持部材４の二枚分の厚みを差し引いた幅で形成される。
【００５１】
抜け止め部材６を背表紙部材３０に嵌着させる際、背表紙部材３０の長手方向３０の両端に備えられる保護板３３に対し、抜け止め部材６の本体部６ａを当接させた状態で嵌着させる。この保護板３３を備えることにより、シート状体３を連綴して挟持部材４に挟持させた後は、連綴部材５がアルバム１００の外側から目視されなくなるため、一般的な本と非常に類似したアルバム１００を作成することができる。
【００５２】
保護板３３には、アルバム１００の内側（挟持部材４や連綴部材５が配設される側）に向かって開口する挿入穴３３ａ及び、挿入穴３３ａに連通されてアルバム１００の外側に向かって開口する調整孔３３ｂが形成されている。
【００５３】
上記のように、抜け止め部材６を保護板３３に沿って嵌着させた状態（すなわち、図５（ａ）の状態）とした時は、抜け止め部材６に備えられた突出片６ｄはアルバム１００の内側に向かって突出している。そして、抜け止め部材６を背表紙部材３０に固定するため、突出片６ｄを摺動させて保護板３３側へ（図５（ａ）の矢印方向へ）押し込み、図５（ｂ）の状態とする。
【００５４】
このとき、抜け止め部材６の本体部６ａの内側の面から突出片６ｄが突出しない状態となるまで、突出片６ｄを保護板３３側へ押し込む。したがって、突出片６ｄの長さは、保護板３３に設けられた挿入孔３３ａと、挿通部６ｂの厚みを合わせた長さとすると好ましい。
【００５５】
このように、突出片６ｄを保護板３３に挿入して嵌着させることにより、アルバム１００から抜け止め部材６が容易に脱落しないようにすることができる。さらに、抜け止め部材６において、突出片６ｄを本体部６ａに対して摺動可能（すなわち、突出片６ｄの長さの変更が可能）となるような構成を備えているため、抜け止め部材６を保護板３３に対して容易に取りつけることが可能となる。
【００５６】
また、図６に示すように、背表紙部材３０は、アルバム１００を開いた状態とした時、背表紙部材３０の底面に位置する背表紙３０ｂを備えており、挟持部材４及び抜け止め部材６が固定される際、挟持部材４は、背表紙３０ｂに当接するようにして配設される。より詳細には、挟持部材４において、長手方向の長さが大きく形成された下部４ｄが、背表紙３０ｂに当接するようにして背表紙部材３０に挿入される。
【００５７】
そして、挟持部材４の上部４ｃ側から、抜け止め部材６が背表紙部材３０に挿入される。このとき、抜け止め部材６の挿通部６ｂは、挟持部材４の段差部４ｂに当接するまで挿入される。また、このとき、抜け止め部材６の支柱部６ｃの端部は、背表紙３０ｂに当接する。このように、挟持部材４に抜け止め部材６を当接させて嵌着させた後、突出片６ｄを保護板３３側へ摺動させて嵌合させることにより、背表紙部材３０内に連綴部材５を伴った挟持部材４、抜け止め部材６が嵌着される。
【００５８】
一方、保護板３３から突出片６ｄを引き抜き、抜け止め部材６を背表紙部材３０から取り外したい場合には、保護板３３に形成された調整孔３３が利用される。調整孔３３ｂから細い棒状（針状）の治具を差し込み、突出片６ｄをアルバム１００の内側に向かって押し戻すことができるため、突出片６ｄは容易に保護板３３から抜き取ることができる。
【００５９】
上記のように、調整孔３３ｂを利用することによって突出片６ｄを保護板３３から引き抜いた後、抜け止め部材６を背表紙部材３０から引き抜くことにより、挟持部材４もまた、背表紙部材３０の凹溝３０ａから引き抜くことが可能となる。そして、連綴部材５によって連綴された状態のシート状体３を挟持した一対の挟持部材４が、背表紙部材３０から抜き取られた後は、一方の挟持部材４を連綴部材５から取り外すことにより、さらにシート状体３を追加することも可能であるし、また、予め連綴されていたシート状体３を取り外すことも可能である。
【００６０】
このように、シート状体３を連綴する際、粘着剤による貼着作業を伴わないため、アルバム１００は、一度、シート状体３を綴じ込んで装丁作業を行った場合であっても、何度でも任意でシート状体３を追加、削除することができる。したがって、アルバム１００の編集作業における自由度が向上する。
【００６１】
また、上記構成により、本の装丁に類似したアルバム１００とすることができるため、高級感のある外観を呈することができる。さらに、上記構成のアルバム１００は、シート状体３の連綴作業時、貼着作業を行うことなく写真や絵画等のシート状体を綴じ込むことができるため、粘着剤の劣化等により品質が低下することがない。したがって、アルバム１００は、外観上の高級感を備えると共に、長期間にわたって良好な状態で保存することができる。
【００６２】
＜他の実施形態＞
次に、他の実施形態に係るアルバム１００’について、図７〜図９を参照して以下、説明する。
本実施形態に係るアルバム１００’は、上記実施形態の挟持部材４とは異なる構成の挟持部材４’を備えていることを特徴とする。したがって、挟持部材４’及び挟持部材４’と係合する抜け止め部材６’に係る構成以外は、上記実施形態と同様であるため、その説明を省略する。
【００６３】
本実施形態において備えられる一対の挟持部材４’は、図７に示すように、略矩形状の板材であり、その長手方向に沿って複数の挿通孔４ａ’が互いに間隔をあけて形成されている。そして、複数の挿通孔４ａ’の間には、略鈎状（略Ｌ字状）の切り欠き部４ｅ’が形成されている。なお、挿通孔４ａ’は、上記実施形態と同様に、シート状体３を綴じ込むために備えられる略円柱状の連綴部材５を挿入するために備えられるものである。
【００６４】
切り欠き部４ｅ’は、矩形状に形成された挟持部材４’の長辺に沿って複数形成されており、長辺に向かって開口するように切り欠かれている。切り欠き部４ｅ’は、背表紙部材３０’内に設けられた抜け止め部材６’である抜け止め突起に係合するため、抜け止め部材６’の太さよりも若干大きい幅を備えるように形成されている。
【００６５】
本実施形態において、抜け止め部材６’は、図９のように、背表紙部材３０’の内部に向かって突出した突出片（突起部材）である。抜け止め部材６’は、略円柱状の部材であり、断面コ字状に形成された背表紙部材３０において、表表紙１側、または裏表紙２側（図２参照）の平面から、内側に向かって突出するようにして配設される。
【００６６】
このように、内側に向かって突出した抜け止め部材６’に対し、切り欠き部４ｅ’が嵌合するように挟持部材４が差し込まれる。このとき、挟持部材４’は背表紙部材３０よりも長手方向が短く形成されているため、背表紙部材３０の内部を長手方向に沿って移動可能である。したがって、略鈎状に形成された切欠き部４ｅ’の角の部分（切り欠き部４ｅ’において、垂直に折れ曲がった部分）に抜け止め部材６’が当接するまで挿入した後、挟持部材４’を図８の矢印方向に沿って動かすことができる。
【００６７】
そして、挟持部材４’を移動（スライド）させ、抜け止め部材６’を切り欠き部４ｅ’の端部（開口していない側の端部）に当接させた状態とすると、挟持部材４’が背表紙部材３０から脱離しにくくなる。なお、本実施形態において、図９では、一対の挟持部材４’のうち、一方の挟持部材４’が切り欠き部４ｅ’を備えている構成を示したが、両方において上記構成の挟持部材４’としてもよいのは勿論である。このとき、切り欠き部４ｅ’に対応する箇所に、抜け止め部材６’がさらに備えられる。
【００６８】
そして、さらに、挟持部材４’の長手方向両端部に、スペーサ部材４０’を配設することにより、挟持部材４’が背表紙部材３０の内部で移動することがないように押し止められる。すなわち、スペーサ部材４０’は、挟持部材４’の移動を阻止する移動阻止部材である。
【００６９】
上記構成の挟持部材４’を背表紙部材３０’に差し込み、長手方向に沿ってスライドさせた後にスペーサ部材４０’を挟持部材４’の両端に差し込むことにより、挟持部材４’を背表紙部材３０’内に固定することができる。
【００７０】
また、スペーサ部材４０’は、対向する挟持部材４’同士の間隔が背表紙部材３０’内で狭まることがないように、挟持部材４’同士の幅もまた規制するための構成を備えている。すなわち、スペーサ部材４０’は図９に示すように、背表紙部材３０’の内側に向かって突出した突出部４０ａ’を備えている。
【００７１】
突出部４０ａ’は、対向する挟持部材４’の間隔を固定するため、挟持部材４’間の幅と略等しい幅で形成されている。突出部４０ａ’の端面（アルバム１００’の厚み方向の端面）と、挟持部材４’の板面（背表紙部材３０’の内側に配設される面）とが当接することにより、挟持部材４’間の幅が一定に保持される。
【００７２】
本実施形態においてもまた、上述のように、挟持部材４’、抜け止め部材６’等が背表紙部材３０’に着脱自在に嵌着されるため、連綴作業において接着作業を行う必要がない。このように、粘着剤による貼着作業を伴わないため、アルバム１００’は、装丁作業を完了した場合であっても、何度でも任意でシート状体を追加、削除することができる。したがって、アルバム１００’の編集作業における自由度が向上する。
また、シート状体の接着作業を伴わないため、粘着剤の劣化等によりシート状体の品質が低下することがない。したがって、長期間にわたって良好な状態で保存することができる。
さらに、上記構成により、本の装丁に類似したアルバム１００’とすることができるため、高級感のある外観を呈することができる。
【００７３】
そして、本実施形態のアルバム１００’は、挟持部材４’の両端ではなく、中央部分や、それ以外の部分にも切り欠き部４ｅ’を形成することができる。したがって、切り欠き部４ｅ’を３箇所以上形成することができるため、挟持部材４’が、抜け止め部材６’によって固定される箇所を増やすことができる。
【００７４】
したがって、本実施形態のアルバム１００’は、大型化する際に適している。すなわち、大型のアルバム１００’によってシート状体を連綴する場合に特に好適に用いられる。
上記実施形態のアルバム１００は、挟持部材４を二つの抜け止め部材６によって背表紙部材３０に嵌着する構成であったが、本実施形態のアルバム１００’は、挟持部材４’を抜け止め部材６’によって、三箇所以上で固定することができる。したがって、特にアルバム１００’が大型であり、挟持部材４’の長さが長い場合には、背表紙部材３０内において多点で保持することができるため、挟持部材４’を強固に保持することができる。その結果、大型であっても長期保存が可能なアルバム１００’とすることができる。
【符号の説明】
【００７５】
１  表表紙
２  裏表紙
３  シート状体
４，４’  挟持部材
４ａ，４ａ’  挿通孔
４ｂ  段差部
４ｃ  上部
４ｄ  下部
４ｅ’  切り欠き部
５  連綴部材
５ａ  端面
６，６’  抜け止め部材
６ａ  本体部
６ｂ  挿通部
６ｂｘ  貫通孔
６ｃ  支柱部
６ｄ  突出片
６ｅ  当接部
１０  表表紙部材
２０  裏表紙部材
３０，３０’  背表紙部材
３０ａ  凹溝
３０ｂ  背表紙
３３，３３’  保護板
３３ａ  挿入孔
３３ｂ  調整孔
４０’  スペーサ部材
４０ａ’  突出部
５０  表皮材
１００，１００’  アルバム
【図１】
0003172198.tif 000003
【図２】
0003172198.tif 000004
【図３】
0003172198.tif 000005
【図４】
0003172198.tif 000006
【図５】
0003172198.tif 000007
【図６】
0003172198.tif 000008
【図７】
0003172198.tif 000009
【図８】
0003172198.tif 000010
【図９】
0003172198.tif 000011